(57)【要約】【課題】電流付き導入器およびスキンケア方法を提供する。【解決手段】本発明に係る導入器は、主に肌に材料を塗り、肌をマッサージし管理するために使用される。導入器は、主に材料を入れる材料貯蔵容器１１０と、材料貯蔵容器１１０を押すと材料がマッサージヘッド１３０に圧出され、かつマッサージヘッド１３０の材料吐出孔１３５１を経て肌に塗られるためのマッサージヘッド１３０と、を備える。また、使用過程において、導入器は、微電流を発生し、肌に作用させて肌の状態を改善できる。導入器は、微電流を発生して、肌をマッサージすることができるため、導入器は、血管の拡張を促進し、血管の平滑筋を弛緩させ、血液の循環を加速し、活血化おを行い、虚血、酸素不足を直し、微循環を改善することができる。【選択図】図２
2019195635.tif 000002
【特許請求の範囲】
【請求項１】
材料を貯蔵するように構成され、圧縮可能な材料貯蔵容器と、
材料吐出孔が設けられたマッサージ面を有し、前記材料貯蔵容器に接続されて、その内部を経て前記材料吐出孔から前記材料が流出できる、導電性材料から製造される中空構造のマッサージヘッドと、
導電性材料から製造されるタッチピースと、
電源と、を備え、
前記マッサージヘッド内にさらに振動モータが設けられ、前記タッチピース、前記振動モータ、および前記マッサージヘッドが直列に接続され、前記マッサージヘッド、前記タッチピース、および前記電源が導電性素子で接続されて閉回路を形成することを特徴とする電流付き導入器。
【請求項２】
前記材料貯蔵容器に接続される材料供給端と、前記マッサージヘッドに接続される材料吐出端と、を有するケースをさらに備え、
前記電源は、バッテリであり、前記ケース内に設置され、
前記ケース内に、前記電源と電気的に接続されて閉回路を制御して微電流を発生するように配置されているコントローラがさらに設置されることを特徴とする請求項１に記載の電流付き導入器。
【請求項３】
前記ケースは、筒状構造であって、長さ方向の両端がそれぞれ材料供給端および材料吐出端であり、
前記ケースの材料供給端に下部ブラケットが設置されており、
前記バッテリおよび前記コントローラがいずれも前記下部ブラケットに設置されることを特徴とする請求項２に記載の電流付き導入器。
【請求項４】
前記下部ブラケットに、前記コントローラが組み立てられる回路基板が設置され、前記回路基板に、導入器の電流を調節するための抵抗調節可能なレオスタットが設置されることを特徴とする請求項３に記載の電流付き導入器。
【請求項５】
前記下部ブラケットは、ブラケット筒と、前記ブラケット筒のトップに設置されるブラケットプレートとを備え、
前記回路基板および前記バッテリは、いずれも前記ブラケットプレートに設置され、
前記ブラケットプレートに材料を吐出するための貫通孔が設置されており、
前記ブラケット筒は、開口が下部を向くように前記ケースの材料供給端にスリーブ接続され、
前記材料貯蔵容器は、前記ブラケット筒にスリーブ接続され、前記ブラケット筒との間は螺合接続されていることを特徴とする請求項４に記載の電流付き導入器。
【請求項６】
前記電源はボタン電池または再充電装置であることを特徴とする請求項１に記載の電流付き導入器。
【請求項７】
前記マッサージヘッドに、側部に収容溝が設けられており、前記振動モータが前記収容溝内に装着されるモータブラケットが設置されていることを特徴とする請求項５に記載の電流付き導入器。
【請求項８】
前記モータブラケットに、出口が前記材料吐出孔に連通し、かつ入口が前記ケースの材料吐出端に連通する流体通路が設けられていることを特徴とする請求項７に記載の電流付き導入器。
【請求項９】
前記ケースに、一端が前記流体通路に連通し、他端が前記材料貯蔵容器に連通する連通管が設けられていることを特徴とする請求項８に記載の電流付き導入器。
【請求項１０】
前記下部ブラケットのブラケットプレートに、前記貫通孔の周方向に沿って上に第１挿着ボスが突出し、
前記モータブラケットの下端に、前記流体通路の周方向に沿って下に第２挿着ボスが突出し、
前記第２挿着ボスが前記連通管のトップに挿着され、前記第１挿着ボスが前記連通管の底部に挿着されていることを特徴とする請求項９に記載の電流付き導入器。
【請求項１１】
前記ケースの材料吐出端に、環状溝が設けられている接続ヘッドが設置されており、
前記マッサージヘッドに、前記環状溝に係止される環状係止ピースが設置されていることを特徴とする請求項２に記載の電流付き導入器。
【請求項１２】
前記環状溝の側壁に、その周方向に沿ってストッパー溝が設けられており、
前記環状係止ピースの側壁に、その周方向に沿ってストッパー突起が設けられており、
前記ストッパー突起と前記ストッパー溝とが互いにマッチングされることを特徴とする請求項１１に記載の電流付き導入器。
【請求項１３】
一端が前記モータブラケットの流体通路に連通し、他端が前記材料吐出孔に嵌め込まれる、筒状構造のインナープラグをさらに備えることを特徴とする請求項８に記載の電流付き導入器。
【請求項１４】
前記モータブラケットのトップに、第１挿着溝が設けられており、
前記インナープラグの内部は中空に設置され、かつ下から上に向かって順に挿着部および流動ガイド部を有し、
前記挿着部は、前記第１挿着溝に挿着され、かつ前記流体通路に連通し、
前記流動ガイド部のトップが前記材料吐出孔に嵌め込まれることを特徴とする請求項１３に記載の電流付き導入器。
【請求項１５】
前記挿着部のトップに、その周方向に沿って、前記モータブラケットのトップが当接するストッパーブロックが設けられていることを特徴とする請求項１４に記載の電流付き導入器。
【請求項１６】
筒体および前記筒体のトップに設置されるシール板を有し、前記マッサージヘッドをカバーするための外部カバーをさらに備えることを特徴とする請求項１３に記載の電流付き導入器。
【請求項１７】
前記筒体内に、大きな端が前記シール板に接続され、小さな端が活動可能に前記インナープラグに挿着される円錐形のアウトプラグが設置されていることを特徴とする請求項１６に記載の電流付き導入器。
【請求項１８】
前記ケースと、前記マッサージヘッドとは、接続ヘッドを介して接続され、
前記接続ヘッドの外側の壁に環状の第２挿着溝が設けられており、
前記外部カバーが前記マッサージヘッドにカバー設置され、前記外部カバーの底部が前記第２挿着溝に挿着され、かつ前記外部カバーと、前記ケースとの外表面が一致することを特徴とする請求項１６に記載の電流付き導入器。
【請求項１９】
前記ケースの外径は、１９〜３０ｍｍであることを特徴とする請求項２に記載の電流付き導入器。
【請求項２０】
請求項１に記載の電流付き導入器を使用するスキンケア方法であって、
ａ．前記電流付き導入器を手で握り、マッサージヘッドを肌に接触させ、手でタッチピースに接触することで、人体、前記マッサージヘッド、前記タッチピース、および電源が接続されて閉回路を形成し、あらかじめ設定した電流が肌を流れるようにするステップと、
ｂ．材料貯蔵容器を押して、材料貯蔵容器内の材料がマッサージヘッドの材料吐出孔を介して肌に接するようにするステップと、を有することを特徴とするスキンケア方法。
【発明の詳細な説明】
【技術分野】
【０００１】
〔関連出願の相互引用〕
本発明は、２０１８年０５月１０日に中国特許庁に提出した、出願番号が２０１８１０４５３４０４．４であり名称が「電流付き導入器およびスキンケア方法」である中国特許出願を優先権として主張し、そのすべての内容を本発明に援用する。
【０００２】
本発明は、スキンケア器具の分野に関するものであり、具体的には、電流付き導入器およびスキンケア方法に関するものである。
【背景技術】
【０００３】
生活水準の向上に伴い、人々のスキンケアに対する要求はますます高くなっており、スキンケア器具の分野の研究者も多数のスキンケア器具を研究、開発したが、従来技術のスキンケア器具のスキンケア効果は未だ改善を必要とするのが実情である。
【発明の概要】
【課題を解決するための手段】
【０００４】
本発明は、以下のように実現される。
【０００５】
電流付き導入器において、
材料を貯蔵するように構成され、圧縮可能な材料貯蔵容器と、
材料吐出孔が設けられたマッサージ面を有し、前記材料貯蔵容器に接続されて、その内部を経て前記材料吐出孔から前記材料が流出できる、導電性材料から製造される中空構造のマッサージヘッドと、
導電性材料から製造されるタッチピースと、
電源と、を備え、
前記マッサージヘッド内に振動モータがさらに設けられ、前記タッチピース、前記振動モータ、および前記マッサージヘッドが直列に接続され、前記マッサージヘッド、前記タッチピース、および前記電源が導電性素子で接続されて閉回路を形成できる。
【０００６】
前記電流付き導入器を使用するスキンケア方法であって、
ａ．前記電流付き導入器を手で握り、マッサージヘッドを肌に接触させ、手でタッチピースに接触することで、人体、前記マッサージヘッド、前記タッチピース、および電源が接続して閉回路を形成し、あらかじめ設定した電流が肌を流れるようにするステップと、
ｂ．材料貯蔵容器を押して材料貯蔵容器内の材料がマッサージヘッドの材料吐出孔を介して肌に接するようにするステップと、を有する。
【図面の簡単な説明】
【０００７】
本発明の実施形態の技術方案をより明確に説明するために、以下、実施形態に必要な図面を簡単に説明する。以下の図面は、本発明の一部の実施例を示したものに過ぎず、保護範囲を限定するものではなく、当業者にとって、創造的な労働なしにこれらの図面から他の図面を得られることは自明なことである。
【０００８】
【図１】本発明の実施例が提供する電流付き導入器の外形構造の概略図
【図２】図１の導入器から外部カバーを除去した三次元構造の概略図
【図３】本発明の実施形態が提供する電流付き導入器の断面図
【図４】本発明の実施形態が提供する電流付き導入器の他の角度での断面図
【発明を実施するための形態】
【０００９】
本発明の目的は、肌を効果的に管理することができる電流付き導入器を提供することである。
【００１０】
本発明の他の目的は、前記電流付き導入器を利用して、肌を効果的に管理することができるスキンケア方法を提供することである。
【００１１】
本発明の実施形態の目的、技術方案、および利点をより明瞭にするために、以下、本発明の実施形態における図面を参照して、本発明の実施形態の技術方案を明瞭かつ完全に説明する。ここで説明しようとする実施形態は、本発明の一部の実施形態に過ぎず、全ての実施形態ではないことは自明なことである。本発明における実施形態に基づいて、当業者が創造的な労働なしに得られる全ての他の実施形態は、いずれも本発明の保護範囲に入るべきものである。
【００１２】
したがって、以下、図面における本発明の実施形態に対する詳細な説明は、保護しようとする本発明の保護範囲を限定しようと意図するものではなく、本発明の選定された実施形態を示すものに過ぎない。本発明における実施形態に基づいて、当業者が創造的な労働なしに得られる全ての他の実施形態は、いずれも本発明の保護範囲に入るべきものである。
【００１３】
本発明の説明において各用語が示す方向および位置関係は、図面に示すものであり、本発明を便宜的におよび簡略に説明するためのものに過ぎず、装置または素子が必ずしも特定の方向を持って、特定の方向で構成または操作される必要があることを提示または暗示するものではなく、本発明を制限するものと理解されるべきではない。
【００１４】
明確に規定または限定しない限り、「設置」、「接続」、「接続」、「固定」などの用語は、広い意味で理解しなければならず、たとえば、固定接続、着脱可能な接続、一体接続、機械的接続、電気的接続、直接接続、中間媒体を介しての間接接続、二つの素子の内部の連通接続、二つの素子の間の相互作用の関係、などでありうる。当業者にとって、具体的な状況に応じて、上述した用語を本発明の具体的な意味で理解してもよい。
【００１５】
本発明の説明において、留意すべきものは、「中心」、「上」、「下」、「左」、「右」、「垂直」、「水平」、「内」、「外」などの用語が指す方位や位置関係は、図面に基づく方位や位置関係であり、または当該発明製品の使用時、通常に配列される方位や位置関係であり、本発明の説明と簡単な説明を便利にするためのものに過ぎず、表示される装置または素子が、必ずしも特定の方向を持って、特定の方向で構成または操作される必要があることを提示または暗示するものではなく、本発明を制限するものと理解されるべきではない。また、「第１」、「第２」などの用語は、区別し説明するためのものに過ぎず、相対的な重要性を提示または暗示するものと理解されるべきではない。
【００１６】
また、「水平」、「垂直」、「懸垂」などの用語は、要求する部品が絶対的に水平または懸垂されることを示すものではなく、少し傾斜していてもよい。たとえば、「水平」は、ただその方向が「垂直」に対してさらに水平であることを示すことに過ぎず、その構造が必ずしも完全に水平であることを示すものではなく、少し傾斜していてもよい。
【００１７】
本発明において、明確に規定または限定しない限り、第１の特徴が第２の特徴の上または下にあることは、第１および第２の特徴が直接的に接触されたことを含み、または、第１および第２の特徴が直接的に接触することではなく、これらの間の別の特徴に介して接触されることをさらに含んでもよい。そして、第１の特徴が第２の特徴の上、上方および上部面にあることは、第１の特徴が第２の特徴の正上方および斜め上方にあることを含み、またはただ第１の特徴の水平高さが第２の特徴よりも高いことを示すことに過ぎない。第１の特徴が第２の特徴の下、下方および下部面にあることは、第１の特徴が第２の特徴の正下方および斜め下方にあることを含み、またはただ第１の特徴の水平高さが第２の特徴よりも低いことを示すことに過ぎない。
【００１８】
図１〜図３を参照して、図１は、外部カバーが装着されている導入器の外形構造の概略図であり、図２は、外部カバーを除去した導入器の３次元構造の概略図であり、図３は、電流付き導入器１００の断面図である。電流付き導入器１００は主に、材料（スキンケア用化粧料）を肌に塗り、肌をマッサージして管理するために用いられる。導入器１００は、主に材料が貯蔵されている材料貯蔵容器１１０と、マッサージヘッド１３０とを備え、材料貯蔵容器１１０を押すと材料がマッサージヘッド１３０に圧出され、マッサージヘッド１３０の材料吐出孔１３５１を経て肌に塗られる。また、使用過程において、導入器１００は、肌に作用するように微電流を発生して、肌の状態を改善することができる。具体的には、図３および図４を参照して、図４は、電流付き導入器１００の他の角度での断面図である。材料貯蔵容器１１０は、柔軟性材料から製造された筒状構造であってもよく、一端は閉鎖され、他端には接続ホールが設けられており、接続ホールが設けられている一端はマッサージヘッド１３０に接続されており、材料貯蔵容器１１０を押すと、その内部の材料は、接続ホールを介して圧出され、材料は、マッサージヘッド１３０を経てマッサージ面１３５の材料吐出孔１３５１から圧出されて肌に塗られる。説明しなければならないことは、材料貯蔵容器１１０は、筒状構造に限らず、他の形態の構造であっても良い。
【００１９】
続いて、図３および図４を参照して、導入器１００は、材料供給端と材料吐出端とを有し、材料供給端が材料貯蔵容器１１０の接続ホールに接続され、材料吐出端がマッサージヘッド１３０に接続されるケース１２０をさらに備える。まず、ケースの内部キャビティは、収容キャビティとして、電源、コントローラなどの部材を装着することに用いられる。次に、ケース１２０の内部キャビティは、マッサージヘッド１３０の内部キャビティに連通して材料貯蔵容器１１０から圧出される材料がケース１２０を介してマッサージヘッド１３０に流入するようにすることができ、さらにマッサージヘッド１３０の材料吐出孔を介して材料が肌に塗られる。
【００２０】
具体的には、ケース１２０は、手で握ることが便利な筒状構造であって良く、ケース１２０の長さ方向の両端は、それぞれ材料供給端および材料吐出端である。ケース１２０の材料供給端に下部ブラケット１２２が設置されており、バッテリ１２１およびコントローラは、いずれも下部ブラケット１２２に設置されており、具体的には、下部ブラケットにコントローラが組み立てられる回路基板１２３が設置されても良い。バッテリ１２１および回路基板１２３を固定するために、ケース１２０の材料供給端は全体的に筒状構造であってもよく、ブラケット筒１２２１とブラケットプレート１２２２とを有し、ブラケットプレートがブラケット筒のトップに設置され、ブラケットプレート１２２２に貫通孔が設けられて、材料が通過するように配置される下部ブラケット１２２が設置されている。ブラケット筒１２２１は、ケース１２０の材料供給端に係止され、材料貯蔵容器１１０に螺合接続される。ブラケットプレート１２２２の貫通孔に連通管１２４が接続されており、連通管１２４の他端は、マッサージヘッド１３０に接続される。材料貯蔵容器１１０を押すと、材料貯蔵容器１１０内の材料が上方向にケースの材料供給端に押圧され、ブラケットプレート１２２２の貫通孔を経て連通管１２４に流入してから、連通管１２４のトップを経てマッサージヘッド１３０内に流入し、最終的にマッサージ面１３５の材料吐出孔１３５１から圧出される。具体的には、ケース１２０の外径は、１９〜３０ｍｍであってもよく、振動モータは、偏心振動モータやボタン振動モータなどを選択して使用しても良い。
【００２１】
具体的には、回路基板１２３には、導入器の電流の大きさを便利に調節するように、抵抗を調節するためのレオスタットがさらに設置されても良い。
【００２２】
回路基板１２３は、ブラケットプレートに装着され、かつ電源に電気的に接続されるコントローラを備える。ケース１２０の外壁には、導電可能で電源に電気的に接続されるタッチピースが設置されている。
【００２３】
ケース１２０の材料吐出端には、マッサージヘッド１３０に接続されるように配置され、全体的に筒状構造であり、ケース１２０に係止される接続ヘッド１２５が設けられている。そして、接続ヘッド１２５に環状溝１２５１が設けられている。マッサージヘッド１３０には環状係止ピース１３６が設けられており、マッサージヘッド１３０は、環状係止ピース１３６によって環状溝１２５１に係止される。これは接続ヘッド１２５とマッサージヘッド１３０とが接続される１つの具体的な形態であり、組み立てる際に、マッサージヘッド１３０の底部の環状係止ピース１３６を接続ヘッド１２５の環状溝１２５１に合わせて力を入れて挿入すれば良い。
【００２４】
本実施例において、環状溝１２５１の側壁に、その周方向に沿ってストッパー溝１２５２が設けられ、環状係止ピース１３６の側壁に、その周方向に沿ってストッパー突起１３６１が設けられてもよく、ストッパー突起１３６１およびストッパー溝１２５２は、互いにマッチングされる。接続ヘッド１２５とマッサージヘッド１３０とを組み立てる際に、まず、環状係止ピース１３６を環状溝１２５１に合わせて挿入し、環状溝１２５１が環状係止ピース１３６の挿入経路に対してガイドし、挿入過程において、環状溝１２５１は、ストッパー突起１３６１が環状溝１２５１のストッパー溝１２５２に係止されるまでに、環状係止ピース１３６の外部に設けられたストッパー突起１３６１により押され、組み立てが完了すると、ストッパー溝１２５２は、ストッパー突起１３６１に対して位置制限して、環状係止ピース１３６およびマッサージヘッド１３０を接続ヘッド１２５にロックする。
【００２５】
図３および図４に示すように、マッサージヘッド１３０は、アルミニウム合金材料から製造される中空構造であり、材料吐出孔１３５１が設けられており、材料貯蔵容器１１０に接続されて、マッサージヘッド１３０の内部を経て材料吐出孔から材料が流出するマッサージ面を有する。他の実施例において、マッサージヘッド１３０は、他の導電性材料から製造されても良い。
【００２６】
具体的には、マッサージヘッド１３０は、中空構造であり、その内部には、側部に収容溝１３２１が設けられて、収容溝１３２１内に振動モータ１３１が装着されるモータブラケット１３２が設けられている。モータブラケット１３２の設置により、一方で、ベースとしてマッサージヘッド１３０の内部での振動モータ１３１の装着の堅牢度を向上させ、他方で、モータブラケット１３２の側部の収容溝１３２１は、振動モータを適切に保護する役割を果たすこともできる。モータブラケット１３２には、一端が連通管１２４に接続され、他端にインナープラグ１３３が設けられており、インナープラグ１３３には材料吐出孔１３５１に連通する貫通孔が設けられて、流体が流出するようにする、流体通路１３２２が設けられている。
【００２７】
本実施例において、下部ブラケット１２２のブラケットプレート１２２２には、貫通孔の周方向に沿って第１挿着ボス１２２３が上方向に突出しており、モータブラケット１３２の下端には、流体通路１３２２の周方向に沿って第２挿着ボス１３２４が下方向に突出しており、第２挿着ボス１３２４が連通管１２４のトップに挿着され、第１挿着ボス１２２３が連通管１２４の底部に挿着される。これは下部ブラケット１２２、モータブラケット１３２、および連通管１２４が接続される１つの具体的な形態であり、装着する際に、連通管１２４のトップがモータブラケット１３２の第２挿着ボス１３２４にスリーブ設置され、底部が下部ブラケット１２２の第１挿着ボス１２２３にスリーブ設置されると、連通管１２４の装着が完成し、装着および取り外しが簡便で、接続密封性が比較的に高い。
【００２８】
具体的には、本実施例において、モータブラケット１３２のトップに第１挿着溝１３２３が設けられており、インナープラグ１３３の内部は中空に設けられ、下から上に向かって順に挿着部１３３１および流動ガイド部１３３３を備え、挿着部１３３１が第１挿着溝１３２３内に挿着され、かつ流体通路１３２２に連通され、流動ガイド部１３３３のトップが材料吐出孔１３５１に嵌め込まれる。これはインナープラグ１３３がモータブラケット１３２に接続される１つの具体的な形態であり、組み立てる際に、インナープラグ１３３の挿着部１３３１をモータブラケット１３２の第１挿着溝１３２３に合わせて挿入し、インナープラグ１３３の流動ガイド部１３３３のトップをマッサージ面１３５の材料吐出孔１３５１内に挿入し、インナープラグ１３３の貫通孔がモータブラケット１３２の流体通路１３２２に連通する。材料貯蔵容器１１０を押して、液状材料は順に下部ブラケット１２２を経て連通管１２４に流入し、連通管１２４を経てモータブラケット１３２の流体通路１３２２内に流入し、インナープラグのインナーキャビティに流入さて、材料吐出孔１３５１を経て圧出される。
【００２９】
本実施例において、挿着部１３３１のトップにはその周方向に沿ってストッパーブロック１３３２が設けられており、モータブラケット１３２のトップはストッパーブロック１３３２に当接する。ストッパーブロック１３３２は、周囲に向かって外へ突出し、サイズは第１挿着溝１３２３のサイズよりも大きい。インナープラグ１３３の挿着部１３３１は、第１挿着溝１３２３内に挿入され、ストッパーブロック１３３２は、挿着部１３３１が挿入される深さに対して位置制限して、インナープラグ１３３が、挿入し過ぎて流動ガイド部１３３３が材料吐出孔１３５１に結合し接続されない場合が発生することを防止する。また、ストッパーブロック１３３２は、インナープラグ１３３と、モータブラケット１３２との接続面がベベル形状をなすようにし、両者の間の接続密封性を向上させ、材料が接続箇所の隙間に沿って外へ流出することを防止する。
【００３０】
そして、図２〜図４に示すように、マッサージヘッド１３０は、傾斜断面状に設計されて、肌に密着され無死角で全方位にリフトマッサージを行う。
【００３１】
マッサージヘッド１３０には、筒体１３４１およびシール板１３４３を有し、シール板１３４３が筒体１３４１の一端に設置され、マッサージヘッド１３０をカバーすることができる透明な外部カバー１３４がさらに設置されている。筒体１３４１内に、円錐形のアウトプラグ１３４２がさらに設けられており、アウトプラグ１３４２の大端がシール板１３４３に接続される。外部カバー１３４によりマッサージヘッド１３０がカバーされる場合に、アウトプラグ１３４２の下端はインナープラグ１３３の貫通孔に挿入されて貫通孔を詰めることで、材料の流出を防止する。
【００３２】
本実施例において、図３および図４に示すように、ケース１２０とマッサージヘッド１３０とは接続ヘッド１２５を介して接続され、接続ヘッド１２５の外側の壁には環状の第２挿着溝が設けられており、外部カバー１３４はマッサージヘッド１３０を覆うように設置され、外部カバー１３４の底部は第２挿着溝に挿着され、かつ外部カバー１３４とケース１２０との外表面が一致する。導入器の使用が完了した後、外部カバーによりマッサージヘッド１３０をカバーし、第２挿着溝は、外部カバーに結合して、外部カバーと接続ヘッドとの係止接続を実現できるだけでなく、外部カバーの装着位置を限定することができ、外部カバーのマッサージヘッドに対する保護作用を確保できる。また、外部カバーとケースの外面とが一致し、導入器全体が円滑的な柱状をなすので、全体性がさらに強化される。
【００３３】
本実施例が提供する電流付き導入器１００の動作原理は、以下の通りである。
【００３４】
使用前に、まず材料を材料貯蔵容器１１０に導入し、使用の際に、マッサージヘッド１３０のマッサージ面（導電性材料から製造される）を肌に接触させ、材料貯蔵容器１１０を押すことにより材料が連通管１２４を経てマッサージヘッド１３０でのモータブラケット１３２の流体通路１３２２に流入してから、インナープラグ１３３を経て、最終的にマッサージヘッド１３０の材料吐出孔１３５１を介して肌に接する。微電流で管理する必要がある場合、タッチピースを手で握り、バッテリ１２１、マッサージヘッド１３０、人体（導電性素子に相当）、およびタッチピースを直列に接続し、閉回路を形成して微電流を発生する。
【００３５】
実験によって、微電流は人体に多くの有益があることが知られている。
【００３６】
血管の拡張を促進し、血管の平滑筋を弛緩させ、血液の循環を加速し、活血化おを行い、虚血、酸素不足を直し、かつ微循環を改善し、組織の炎症の減退を促進して、腫れをなくし、痛みを取り除く。
【００３７】
細胞の代謝を促進し、細胞の老廃物の排出を加速し、内分泌障害を治療し、末梢神経の興奮を低下して痛みを感じる閾値を顕著に改善し、血脂質の代謝を改善し、コレステロールの合成を阻害して血管壁に沈積し難くなり、血圧を安定させ、心脳血管の代謝および心筋虚血を改善し、赤血球の酸素運搬性能を向上させ、赤血球の凝集現象を低下させて、血液の粘度を改善し、人体の免疫機能を増強させ抗腫瘍作用を有し、体内の遊離基をなくして細胞の抗酸化能を強化させ、細胞膜の完全性を保護し、人体に対して老化防止作用を果たし、疲労を解消し、体力を補強させ、人体の機能を改善する。
【００３８】
具体的には、本発明で使用される振動モータのモデル番号は０４０８であり、最大出力は０．０７２Ｗであり、振動モータが耐える最大電流は４５ｍＡであり、バッテリの電圧は１．６Ｖであり、振動モータの正常的な使用時において閉回路全体での電流は０．０２ｍＡであり、すなわち人体で通る電流は約０．０２ｍＡで、前記電流が人体に損傷をもたらす確率は無視しても良い。
【００３９】
なお、本実施例において、電源は、ボタン電池、または、たとえば再充電バッテリなどの再充電装置であってもよく、または電源は、外部電源を接続するように配置される素子であっでも良い。
【００４０】
本実施例は、前記電流付き導入器１００を使用し、以下のようなステップを有するスキンケア方法を提供した。
【００４１】
ａ．電流付き導入器１００を手で握り、マッサージヘッド１３０を肌に接触させ、手でタッチピースに接触することで、人体、マッサージヘッド１３０、タッチピース、および電源が接続して閉回路を形成し、あらかじめ設定した電流が肌を流れるようにする。
【００４２】
ｂ．材料貯蔵容器を押して材料貯蔵器内の材料がマッサージヘッド１３０の材料吐出孔を介して肌に接するようにする。
【００４３】
回路基板１２３の抵抗の調節により、電流の大きさを調節することができる。
【００４４】
本発明は、少なくとも以下のような有益な効果を有する。
【００４５】
本発明の上記設計により得られた電流付き導入器は、使用する際に、材料貯蔵容器に材料（すなわち、スキンケア用化粧料）を装入した後、導入器を手で握り、手でタッチピースに触れて、マッサージヘッドを肌に接触させることで、人体、前記マッサージヘッド、前記タッチピース、および電源が接続して閉回路を形成し、微電流が肌を流れる。材料貯蔵容器を押すと、材料が材料貯蔵容器からマッサージヘッドに流入し、最終的に材料吐出孔を介して肌に圧出される。
【００４６】
導入器が微電流を発生して、肌をマッサージすることができるため、前記導入器は、血管の拡張を促進して、血管の平滑筋を弛緩させ、血液の循環を加速し、活血化おを行い、虚血、酸素不足を直し、微循環を改善することができる。
【００４７】
本発明の上記の設計によって得られたスキンケア方法は、前記電流付き導入器を使用して肌にスキンケア用化粧料を塗ることができるとともに、肌をマッサージし、微電流の作用により肌の状態を改善することができる。
【００４８】
上記の説明は本発明の好ましい実施形態に過ぎず、本発明を限定しようとするものではなく、当業者にとって、本発明に対して様々な変更および変化を行うことができる。本発明の旨および原則の範囲で行う任意の修正、等同な置換、改善などは、いずれも本発明の保護範囲に含まれる。
【産業上の利用可能性】
【００４９】
本実施例が提供した電流付き導入器およびスキンケア方法は、微電流を発生することができ、肌をマッサージすることができ、使用者の血管の拡張を促進して、血管の平滑筋を弛緩させ、血液の循環を加速し、活血化おを行い、虚血、酸素不足を直し、微循環を改善できる。
【符号の説明】
【００５０】
１００：  導入器
１１０：  材料貯蔵容器
１２０：  ケース
１２１：  バッテリ
１２２：  下部ブラケット
１２２１：ブラケット筒
１２２２：ブラケットプレート
１２２３：第１挿着ボス
１２３：  回路基板
１２４：  連通管
１２５：  接続ヘッド
１２５１：環状溝
１２５２：ストッパー溝
１２６：  上部ブラケット
１３０：  マッサージヘッド
１３１：  振動モータ
１３２：  モータブラケット
１３２１：収容溝
１３２２：流体通路
１３２３：第１挿着溝
１３２４：第２挿着ボス
１３３：  インナープラグ
１３３１：挿着部
１３３２：ストッパーブロック
１３３３：流動ガイド部
１３４：  外部カバー
１３４１：筒体
１３４２：アウトプラグ
１３４３：シール板
１３５：  マッサージ面
１３５１：材料吐出孔
１３６：  環状係止ピース
１３６１：ストッパー突起
【図１】
2019195635.tif 000003
【図２】
2019195635.tif 000004
【図３】
2019195635.tif 000005
【図４】
2019195635.tif 000006